(57)【要約】【課題】車椅子を利用する身障者や要介護者等によっても、手動で簡単に左右折戸が機械的に連動する簡略な構造の連動引分式折戸装置を提供する。【解決手段】左右の折戸１０・１１が面一状態で全閉した引分戸Ｄを開けるとき、例えば一側の折戸１０が折り曲げ始まると、この折戸の折れ曲がり初期動作に従って、その折戸の転回する戸先側折戸パネル１８上の押圧突起２５が係合した一方のスライダ４０が押されて、ガイドレール３５に沿って戸尻側へ向けスライドし、その一方のスライダが係止した蹴り出しレバー６０の一端部６０ａを押し回す一方で、反対側の他端部６０ｃでレバー受け３１を押圧し、そのレバー受けを固定した他側の折戸１１の戸先側折戸パネル１９をてこの作用によって蹴り出し、この蹴り出しレバーの蹴り出しを契機として、一側の折戸の折れ曲がり動作に連動して他側の折戸も折り曲がり動作を始動する構成にする。【選択図】          図１
2008063884.tif 000002
【特許請求の範囲】
【請求項１】
２枚の折戸パネルを折り曲げ自在に連結した一対の折戸を直列に配設して面一な引分戸を形成し、その引分戸の開時は、一側の折戸が折れ曲がる開放初期動作に従って他側の折戸を折り曲げながら左右に開放する連動引分式折戸装置であって、
前記引分戸で開閉する扉開口部の上枠の長さ方向に沿って固定し、走行ガイド溝を下向きにして敷設するガイドレールと、
それぞれ下面に有した突起係合穴を下向きとし、上部を前記走行ガイド溝に係合させて前記ガイドレールでスライド自在に保持する一対のスライダと、
前記上枠の両端側に回転自在に軸支した左右一対の滑車間に掛け回し、一側の直線ワイヤー部に一方の前記スライダを締結する一方、他側の直線ワイヤー部に他方の前記スライダを締結して往復回動可能に巻装した連動ワイヤーと、
前記折戸の戸先側折戸パネルの上端にそれぞれ立設して前記スライダの前記突起係合穴に係合する押圧突起と、
前記折戸の隣り合う戸先側折戸パネルの上端に固定し、それら折戸パネルから前記折戸の折込み方向と反対向きに突設したレバー受けと、
前記上枠に各々のレバー支点部で回動自在に同軸に枢支し、前記引分戸の閉時は、それぞれ一端部が互いに別の前記スライダに係止する一方、他端部は互いに異なる前記折戸上の前記レバー受けに係止した状態を保持される一対の蹴り出しレバーを備え、
前記引分戸の開時、一側の前記折戸が折り曲げ始まると、その折れ曲がり初期動作に従って、転回する戸先側折戸パネル上の前記押圧突起が係合した一方の前記スライダが押されて戸尻側へ向けスライドし、その一方のスライダが係止した前記蹴り出しレバーの一端部を押し回す一方で、反対側の他端部で前記レバー受けを押して蹴り出し、その蹴り出しレバーの蹴り出しを契機に、他方の前記折戸を折り曲げ始動させてなることを特徴とする、連動引分式折戸装置。
【発明の詳細な説明】
【技術分野】
【０００１】
本発明は、一対の折戸を左右に開閉する折戸式の引分戸の中にあって、一側の折戸を開閉操作すれば、それに連動して他側の折戸も開閉する、身障者や要介護者等にとっても使い勝手のよい連動引分式折戸装置に関する。
【背景技術】
【０００２】
一般に、引分戸は、開時に開口部の面積を比較的広く確保できるため、例えばストレッチャーやベットが通過する病院等の施設に、好んで設置される一方で、同じ引分戸の中でも、引戸式のものは、開口部の左右に壁等に沿って引戸の引込みスペースを確保する必要があるため、通常、開口部の横に壁などのない箇所には、折戸式の引分戸が付設される。
【０００３】
しかし、折戸式の引分戸では、例えば開時に、通常、一方のハンドル等を持って一側の折戸を折り曲げて開放してから、他方のハンドル等を持って他側の折戸を折り曲げて開放して初めて、全開する構造であるため、例えば車椅子を利用する身障者や要介護者等が１人で同じように開閉操作するには、そのたびに左右に移動しなければならず、身障者等にとっては容易ではなく不便であるという欠点があった。そこで、従来の引分式折戸装置の中には、電動モータを駆動して左右の折戸を連動させて自動的に開閉する構造とし、身障者等によっても簡単に開閉操作できるようにしたものが見られる。
【特許文献１】特開２００２−１３３５２号公報
【発明の開示】
【発明が解決しようとする課題】
【０００４】
ところが、従来、上述のように電動モータを用いた連動引分式折戸装置では、それだけ全体に装置が複雑で大型になり、コストも高くなるという大きな問題があった。そこで、従来から、手動により左右折戸が機械的に連動する簡略な構造の引分式折戸装置が提供されることが強く望まれている。
【課題を解決するための手段】
【０００５】
そこで、本発明者らは、上述した従来の課題を解決すべく、鋭意開発研究を重ね、車椅子を利用する身障者や要介護者等によっても、手動によって簡単に左右折戸が機械的に連動する簡略な構造からなる、本発明の連動引分式折戸装置を完成させるに至った。即ち、請求項１に記載の発明は、たとえば以下に示す図示実施の形態のとおり、２枚の折戸パネル１７・１８、１９・２０を折り曲げ自在に連結した一対の折戸１０・１１を直列に配設して面一な引分戸Ｄを形成し、その引分戸Ｄの開時は、一側の折戸１０が折れ曲がる開放初期動作に従って他側の折戸１１を折り曲げながら左右に開放する連動引分式折戸装置であって、前記引分戸Ｄで開閉する扉開口部Ｓの上枠１２の長さ方向に沿って固定し、走行ガイド溝３６を下向きにして敷設するガイドレール３５と、それぞれ下面に有した突起係合穴４２を下向きとし、上部を前記走行ガイド溝３６に係合させて前記ガイドレール３５でスライド自在に保持する一対のスライダ４０・４１と、前記上枠１２の両端側に回転自在に軸支した左右一対の滑車４８・４８間に掛け回し、一側の直線ワイヤー部５０ａに一方の前記スライダ４０を締結する一方、他側の直線ワイヤー部５０ｂに他方の前記スライダ４１を締結して往復回動可能に巻装した連動ワイヤー５０と、前記折戸１０・１１の戸先側折戸パネル１８・１９の上端にそれぞれ立設して前記スライダ４０・４１の前記突起係合穴４２に係合する押圧突起２５・２６と、前記折戸１０・１１の隣り合う戸先側折戸パネル１８・１９の上端に固定し、それら折戸パネル１８・１９から前記折戸１０・１１の折込み方向と反対向きに突設したレバー受け３０・３１と、前記上枠１２に各々のレバー支点部６０ｂ・６１ｂで回動自在に同軸に枢支し、前記引分戸Ｄの閉時は、それぞれ一端部６０ａ・６１ａが互いに別の前記スライダに係止する一方、他端部６０ｃ・６１ｃは互いに異なる前記折戸上の前記レバー受けに係止した状態を保持される一対の蹴り出しレバー６０・６１を備え、前記引分戸Ｄの開時、一側の前記折戸１０が折り曲げ始まると、その折れ曲がり初期動作に従って、転回する戸先側折戸パネル１８上の前記押圧突起２５が係合した一方の前記スライダ４０が押されて戸尻側へ向けスライドし、その一方のスライダ４０が係止した前記蹴り出しレバー６０の一端部６０ａを押し回す一方で、反対側の他端部６０ｃで前記レバー受け３１を押して蹴り出し、その蹴り出しレバー６０の蹴り出しを契機に、他方の前記折戸１１を折り曲げ始動させてなることを特徴とする。
【発明の効果】
【０００６】
請求項１に記載の発明では、たとえ一対の折戸を左右に開閉する折戸式の引分戸であっても、いずれか一側の折戸を開閉操作すると、その開閉初期動作に従って、一側の折戸上の押圧突起に押されて一方のスライダが片側へスライドして連動ワイヤーを回動し、その連動ワイヤーの一方のスライダとは反対の他側の直線ワイヤー部に締結した他方のスライダを、その他側の直線ワイヤー部の移動に従って、一方のスライダと反対の他側へスライドさせ、この他方のスライダに他側の折戸上の押圧突起が押されて、他側の折戸も、一側の折戸の開閉動作に連動して開閉する。従って、請求項１に記載の発明によれば、引分戸の開閉時は、その開閉操作のたびに引分戸の手前でいちいち左右に移動しなくてもよく、車椅子を利用する身障者や要介護者等であっても、その場で簡単に開閉操作することができ、しかも、電動式ではなく、手動によって左右折戸が機械的に連動する簡略な構造であるため、全体に装置の簡略化や低コスト化を実現することができる。
【０００７】
加えて、請求項１に記載の発明では、左右の折戸が面一状態で全閉した引分戸を開ける場合でも、いずれか一側の折戸が折り曲げ始まると、この折戸の折れ曲がり初期動作に従って、その折戸の転回する戸先側折戸パネル上の押圧突起が係合した一方のスライダが押されて、ガイドレールに沿って戸尻側へ向けスライドし、その一方のスライダが係止した蹴り出しレバーの一端部を押し回す一方で、反対側の他端部でレバー受けを押圧し、そのレバー受けを固定した他側の折戸の戸先側折戸パネルをてこの作用によって蹴り出し、この蹴り出しレバーの蹴り出しを契機として、一側の折戸の折れ曲がり動作に連動して他側の折戸も折り曲がり動作を始動する。従って、請求項１に記載の発明によれば、たとえ左右の折戸が面一状態で全閉した引分戸を開けるときでも、折戸は、より抵抗少なくスムーズに折れ曲がり、車椅子を利用する身障者や要介護者等によっても、開放操作を負荷なく極めて容易に行うことができる。
【発明を実施するための最良の形態】
【０００８】
以下、図面を参照しつつ、本発明の最良の実施形態について説明する。
【０００９】
図１は、本発明の一例である連動引分式折戸装置を引分戸の全閉状態において示す組立斜視図、図２は連動引分式折戸装置を図１とは別の角度から見て示す組立斜視図、図３は連動引分式折戸装置の分解斜視図である。図示例の連動引分式折戸装置は、戸枠Ｆに左右一対の折戸１０・１１からなる引分戸Ｄを吊設し、左右の折戸１０・１１が折戸連動機構Ａで連動して開閉するように組み付けた構造になっている。
【００１０】
戸枠Ｆは、天井側の上枠１２と、左右に向かい合う一対の縦枠１３・１４とで矩形に扉開口部を枠付けし、縦枠１３・１４の上端側と下端側に、それぞれ左右の折戸１０・１１を回動自在に案内する上部アングル１５と下部アングル１６を固着している。一方、折戸１０・１１は、それぞれ２枚の折戸パネル１７・１８、１９・２０を、公知のギヤヒンジ２１の噛み合いを介して折り曲げ自在に連結し、戸尻側折戸パネル１７・２０の上端面１７ａ・２０ａにおいて戸尻側に上ヒンジプレート２２を固着し、下端面の戸尻側に下ヒンジプレート２３を固着している。そして、下ヒンジプレート２３の筒穴２３ａに下部アングル１６の枢軸１６ａを嵌挿し、上ヒンジプレート２２の凸部２２ａを上部アングル１５のガイド穴１５ａに嵌着し、戸尻側折戸パネル１７・２０を縦枠１３・１４にそれぞれ回動自在に取り付けて、引分戸Ｄを吊持してなる。なお、折戸１０・１１には、戸尻側折戸パネル１７・２０の板面において、戸先側折戸パネル１８・１９寄りにそれぞれバーハンドルｈ１・ｈ２を付設している。
【００１１】
そこで、本発明の連動引分式折戸装置は、引分戸Ｄ側において、折戸１０・１１上に固設する左右一対の押圧突起２５・２６およびレバー受け３０・３１を備える一方、戸枠Ｆ側において、ガイドレール３５と、一対のスライダ４０・４１と、一対の滑車組立体４５・４６と、連動ワイヤー５０と、レバー組立体５５とを備えて折戸連動機構Ａを構成し、バーハンドルを持って一側の折戸を開閉操作すれば、その開閉操作に連動して他側の折戸も開閉する構造になっている。
【００１２】
即ち、折戸連動機構Ａは、まず折戸１０・１１側において、隣り合う戸先側折戸パネル１８・１９の上端面１８ａ・１９ａの中央寄りに、それぞれ取付プレート２７・２８をねじ止めし、取付プレート２７・２８上にピン状の押圧突起２５・２６を立設する。更に、戸先側折戸パネル１８・１９の上端面１８ａ・１９ａには、それぞれ戸尻側折戸パネル１７・２０寄り端縁に、金属製のレバー受け３０・３１を固定する。レバー受け３０・３１は、ねじ挿通用の丸穴（図示省略）を有したベース板３０ａ・３１ａと、ベース板３０ａ・３１ａ上に重ねて装着し、取付位置調節用の長穴３２を有したＬ板状の受けプレート３０ｂ・３１ｂとからなる。かかるレバー受け３０・３１は、それぞれ戸先側折戸パネル１８・１９と直交する向きに上端面１８ａ・１９ａ上に固定するが、特に受けプレート３０ｂ・３１ｂのＬ状先端部を、戸先側折戸パネル１８・１９から、折戸１０・１１の折込み方向と反対向き（図中手前）に突出させて止めねじで固定する。止めねじは、長穴３２からベース板３０ａ・３１ａの丸穴に通して戸先側折戸パネル１８・１９の上端面１８ａ・１９ａ上に捩じ込む。従って、レバー受け３０・３１は、ベース板３０ａ・３１ａに対し受けプレート３０ｂ・３１ｂを長穴３２の長さに応じてスライドさせて突出長さを微調節することができるようになっている。
【００１３】
一方、折戸連動機構Ａにおいて、戸枠Ｆ側に組み付けるガイドレール３５は、長尺な金属板を曲げ加工し、中央板部３５ａの両側部３５ｂを断面Ｌ状に立ち上げ、そのＬ状の両側部３５ｂの向かい合う先端縁にそれぞれ係合片３５ｃを有した溝形に成形し、内部にスライダ４０・４１を案内する走行ガイド溝３６を形成してなる。かかるガイドレール３５は、走行ガイド溝３６を下向きにし、中央板部３５ａにおいて上枠１２の長さ方向に沿って固定する。
【００１４】
スライダ４０・４１は、それぞれ樹脂製ピースで、図４でも示すように、図中手前側の長さ方向両端の角を面取りし、そこにテーパ部４０ａ・４０ｂ、４１ａ・４１ｂを形成する。また、ピース厚さ方向には、略中心を貫通するピース長手方向に長穴状の突起係合穴４２を設ける一方、図中上部側の両側面には、そのピース長さ方向に沿ってそれぞれガイドレール３５の係合片３５ｃと対応するレール係合溝４０ｃ・４１ｃを設けると共に、図中下部の下面には、その長さ方向に沿って平行な２列のワイヤー係合溝４０ｄ・４１ｄを設けてなる。ワイヤー係合溝４０ｄ・４１ｄは、図５に示すように、突起係合穴４２の両隣位置で溝幅を一段大きくし、そこに後述のワイヤー取付管５１・５２を嵌め込む細筒穴状の嵌込み穴部４０ｅ・４０ｆ、４１ｅ・４１ｆを形成してなる。かかるスライダ４０・４１は、それぞれテーパ部４０ａ・４０ｂ、４１ａ・４１ｂをレバー組立体５５側に向けて（図１、図２参照）、レール係合溝に４０ｃ・４１ｃに係合片３５ｃを係合させてガイドレール３５でスライド自在に保持すると共に、各々の突起係合穴４２に戸先側折戸パネル１８・１９上の押圧突起２５・２６を係合させるようになっている。
【００１５】
滑車組立体４５・４６は、図３および図６に示すように、それぞれ滑車ブラケット４７と滑車４８を備え、滑車４８の車軸を、滑車ブラケット４７に有した長穴に挿通して枢支し、該滑車ブラケット４８で滑車４８を回転可能に且つブラケット長さ方向に移動可能に横に寝かせて組み立て、滑車４８・４８間に掛け回す連動ワイヤー５０の張り具合を調整可能な構造になっている。かかる滑車組立体４５・４６は、ガイドレール３５の中央板部３５ａを間に挟んで、図１および図２に示すように上枠１２の長さ方向両端に互いの滑車４８・４８を対向させて取り付ける。
【００１６】
連動ワイヤー５０は、図４に示すように、一対の第１および第２ワイヤー取付管５１・５２に通してそれらをワイヤー途中で保持し、エンドレスに繋いだ金属製ワイヤーからなる。ワイヤー取付管５１・５２は、その管径方向に穿設してパイプ穴５１ａ・５２ａと連通する雌ねじ穴５１ｂ・５２ｂを有してなる。かかる連動ワイヤー５０は、図５および図６に示すように、滑車４８・４８間に細長いループ状に掛け回すと共に、平行な直線ワイヤー部５０ａ・５０ｂをそれぞれワイヤー係合溝４０ｂ・４１ｂに係合させてスライダ４０・４１に連結する。そして、スライダ４０・４１の突起係合穴４２にそれぞれ戸先側折戸パネル１８・１９上の押圧突起２５・２６を係合し、そのうちの一方のスライダ４０には、一側の嵌込み穴部４０ｅに第１ワイヤー取付管５１を嵌め込み、その雌ねじ穴５１ｂに止めねじを捩じ込んで、一方のスライダ４０を一側の直線ワイヤー部５０ａに締結する。一方、他方のスライダ４１の他側の嵌込み穴部４１ｆに第２ワイヤー取付管５２を嵌め込み、その雌ねじ穴５２ｂに止めねじを捩じ込んで、他方のスライダ４１を他側の直線ワイヤー部５０ｂに締結して連動ワイヤー５０を滑車４８・４８間で往復回動可能に巻装する。
【００１７】
レバー組立体５５は、図３に示すように、レバーブラケット５６と、レバーブラケット５６で支持する一対の蹴り出しレバー６０・６１を備える。レバーブラケット５６は、長手の金属板を曲げ加工し、平板部５６ａの両端部５６ｂをＬ板状に屈曲させて形成してなる。蹴り出しレバー６０・６１は、それぞれレバー本体が細長い金属板製で、一端部６０ａ・６１ａをＬ状に屈曲し、その一端部寄り中央で一段幅広に形成し、そこにレバー支点部６０ｂ・６１ｂを形成してなる。そして、各々の一端部６０ａ・６１ａに回転ローラ６２・６３を縦向きに軸支する一方、他端部６０ｃ・６１ｃに樹脂製の消音キャップ６４・６５を被せた構造になっている。かかるレバー組立体５５は、互いのレバー支点部６０ｂ・６１ｂにおいて、蹴り出しレバー６０・６１を重ね合わせ、レバーブラケット５６の平板部５６ａに支点軸を中心として回動自在に枢支して組み立てる。そして、図１および図２に示すように、左右折戸１０・１１が面一となる引分戸Ｄの閉止状態において、ガイドレール３５の図中手前側にあって、支点軸６６が折戸１０・１１の戸先側折戸パネル１８・１９間に位置する中間位置で、レバーブラケット５６の両端５６ｂを上枠１２に固着して組み付ける。すると、折戸連動機構Ａにおいて、図７でも示すように、レバー組立体５５の蹴り出しレバー６０・６１は、各々の一端部６０ａ・６１ａの回転ローラ６２・６３が互いに別のスライダ４０・４１のテーパ部４０ａ・４１ａに係止する一方、他端部６０ｃ・６１ｃの消音キャップ６４・６５が互いに異なる戸先側折戸パネル１８・１９上のレバー受け３０・３１の受けプレート３０ｂ・３１ｂに係止した状態で保持されてなる。
【００１８】
さて、上述した構成の折戸連動機構Ａを備えた連動引分式折戸装置では、面一状態で全閉した引分戸Ｄを開けるとき、例えばバーハンドルｈ１を持って戸尻側折戸パネル１７を押し、図８（Ａ）に示すように、一側の折戸１０を折り曲げ始めると、この折戸１０の折れ曲がり初期動作に従って、転回する戸先側折戸パネル１８上の押圧突起２５に一方のスライダ４０が押されて、ガイドレール２５に沿って戸尻側の縦枠１３側へ向けスライドし、それと一体に連動ワイヤー５０を一方向へ回動させ始める。すると、図８（Ｂ）に示すように、縦枠１３側へスライドし始めたスライダ４０で、そのテーパ部４０ａが係止した蹴り出しレバー６０を、回転ローラ６２を介して押し回し、反対側の他端部６０ｃで消音キャップ６４を介してレバー受け３１を押圧し、そのレバー受け３１を固定した他側の折戸１１の戸先側折戸パネル１９を、てこの作用によって蹴り出す。すると、この蹴り出しレバー６０の蹴り出しを契機として、図８（Ｃ）に示すように、一側の折戸１０の折れ曲がり動作に連動して他側の折戸１１も折り曲がり動作を始動する。
【００１９】
しかる後、戸尻側折戸パネル１７を押し続けて一側の折戸１０を、図９（Ａ）に示すようにく字状に折り曲げると、この折れ曲がり動作に従って、一方のスライダ４０が押圧突起２５に押されて戸尻側の縦枠１３側へ更にスライドして連動ワイヤー５０を更に一方向へ回動する。すると、連動ワイヤー５０の他側の直線ワイヤー部５０ｂに締結した他方のスライダ４１は、他側の直線ワイヤー部５０ｂの移動に従って、一方のスライダ４０と反対の戸尻側の縦枠１４側へスライドする。そうすると、この他方のスライダ４１に戸先側折戸パネル１９上の押圧突起２６が押され、それに従って他側の折戸１１も、図９（Ｂ）および図１０に示すように、一側の折戸１０の折れ曲がり動作に連動して更に鋭角に折れ曲がり、その後、図示しないが、両側の折戸１０・１１がそれぞれ折り畳み状態になって左右に開き、引分戸Ｄの扉開口部Ｓを全開する。
【００２０】
他方、連動引分式折戸装置では、同様に引分戸Ｄを開けるときに、以上とは反対のバーハンドルｈ２を持って、戸尻側折戸パネル２０を押して他側の折戸１１を折り曲げて開放操作した場合は、この他側の折戸１１の折れ曲がり初期動作に従って、今度は、戸先側折戸パネル１９上の押圧突起２６に他方のスライダ４１が押されて、縦枠１４側へ向けスライドし、同じ連動ワイヤー５０を他方向へ回動させ始める。すると、図示省略するが、縦枠１４へスライドし始めたスライダ４１で、そのテーパ部４１ａが係止した蹴り出しレバー６１を、回転ローラ６３を介して押し回し、反対側の他端部６１ｃで消音キャップ６５を介してレバー受け３０を押圧し、そのレバー受け３０を固定した一側の折戸１０の戸先側折戸パネル１８を、てこの作用によって蹴り出し、この蹴り出しレバー６１の蹴り出しを契機に、他側の折戸１１の折れ曲がり動作に連動して一側の折戸１０も折り曲がり動作を始動する。
【００２１】
しかる後、戸尻側折戸パネル２０を押し続けて、他側の折戸１１をく字状に折り曲げると、この折れ曲がり動作に従って、他方のスライダ４１が押圧突起２６に押されて縦枠１４側へ更にスライドして連動ワイヤー５０を更に他方向へ回動する。すると、連動ワイヤー５０の一側の直線ワイヤー部５０ａに締結した一方のスライダ４０は、一側の直線ワイヤー部５０ａの移動に従って、縦枠１３側へスライドする。そうすると、この一方のスライダ４０に戸先側折戸パネル１８上の押圧突起２５が押され、それに従って一側の折戸１１も、他側の折戸１１の折れ曲がり動作に連動して更に鋭角に折れ曲がり、その後は、上述したと同様に、両側の折戸１０・１１がそれぞれ折り畳み状態になって左右に開き、引分戸Ｄの扉開口部Ｓを全開する。
【００２２】
さて反対に、折戸１０・１１を折り畳んで全開状態の引分戸Ｄを閉めるときは、戸先側折戸パネル１８・１９のいずれか一方、例えば一側の折戸１０の戸先側折戸パネル１８を押して両折戸パネル１７・１８を転回させながら、一側の折戸１０を開く。すると、転回する戸先側折戸パネル１８上の押圧突起２５に押されて一方のスライダ４０が縦枠１４側へ向けてスライドし、連動ワイヤー５０を他方向へと回動する。すると、連動ワイヤー５０の他側の直線ワイヤー部５０ｂに締結した他方のスライダ４１は、他側の直線ワイヤー部５０ｂの移動に従って反対の縦枠１３側へ向けスライドする。そうすると、この他方のスライダ４１に戸先側折戸パネル１９上の押圧突起２６が押され、それに従って他側の折戸１１も、一側の折戸１０の展開動作に連動して展開し、その後、両側の折戸１０・１１が面一な状態になって引分戸Ｄの扉開口部Ｓを全閉する。
【図面の簡単な説明】
【００２３】
【図１】本発明の一例である連動引分式折戸装置を引分戸の全閉状態において示す組立斜視図である。
【図２】連動引分式折戸装置を図１とは別の角度から見て示す組立斜視図である。
【図３】連動引分式折戸装置の分解斜視図である。
【図４】スライダと連動ワイヤーの構造を示す斜視図である。
【図５】（Ａ）は一方のスライダと押圧突起と連動ワイヤーの連結構造を示し、（Ｂ）は他方のスライダと押圧突起と連動ワイヤーの連結構造を示す斜視図である。
【図６】スライダと連動ワイヤーの締結状態を示す折戸連動機構の底面図である。
【図７】折戸連動機構の構造を引分戸の全閉状態において示す平面図である。
【図８】蹴り出しレバーによる折戸の蹴り出し動作を段階的に分けて示す折戸連動機構の平面図である。
【図９】折戸が連動して折り曲げ開放動作する状態を段階的に分けて示す折戸連動機構の平面図である。
【図１０】連動引分式折戸装置を引分戸の全開手前の状態において示す斜視図である。
【符号の説明】
【００２４】
Ａ            折戸連動機構
Ｄ            引分戸
Ｆ            戸枠
Ｓ            扉開口部
１０・１１    折戸
１７〜２０    折戸パネル
２５・２６    押圧突起
３０・３１    レバー受け
３５          ガイドレール
３６          走行ガイド溝
４０・４１    スライダ
４２          突起係合穴
４８          滑車
５０          連動ワイヤー
５０ａ        一側の直線ワイヤー部
５０ｂ        他側の直線ワイヤー部
６０・６１    蹴り出しレバー
【図１】
2008063884.tif 000003
【図２】
2008063884.tif 000004
【図３】
2008063884.tif 000005
【図４】
2008063884.tif 000006
【図５】
2008063884.tif 000007
【図６】
2008063884.tif 000008
【図７】
2008063884.tif 000009
【図８】
2008063884.tif 000010
【図９】
2008063884.tif 000011
【図１０】
2008063884.tif 000012